(57)【要約】【課題】    操作性を向上しながら、様々な位置または角度で所望のようにテレビ電話機能を利用することができる携帯電話を提供することを目的とする。【解決手段】  電話本体２には、音声を集音する音声入力部８と、画像を撮影する外側カメラ１０と、電話本体２を操作者の目の近傍に位置させた第一の状態で画像を表示するための覗き込み型表示部１１と、電話本体２を第一の状態よりも操作者の目から離した第二の状態で携帯電話を操作するためのテンキー操作部６ａおよび方向指示キー６ｂとが設けられ、フリップ３には、音声を集音する音声入力部９と、第二の状態で画像を表示するための表示部５とが設けられている。また、フリップ３の側部には、第一の状態で携帯電話を操作するための右手用画像切換ボタン１３、右手用レリーズボタン１４、右手用指示先切換ボタン１５、左手用画像切換ボタン１６、左手用レリーズボタン１７、左手用指示先切換ボタン１８およびズーム操作ダイアル１９が設けられている。【選択図】      図４
2007201824.tif 000002
【特許請求の範囲】
【請求項１】
テレビ電話モードで通信するためのテレビ電話機能部と、画像を撮影するカメラ部と、音声を集音する音声入力部が設けられた第一の筐体と、前記第一の筐体と折りたたみ可能に接続され、音声を発する音声出力部が設けられた第二の筐体と、前記第一の筐体および前記第二の筐体の一方を操作者の目の近傍に位置させた第一の状態で前記テレビ電話機能部または前記カメラ部からの画像信号に基づいて画像を表示するための第一の表示部と、前記第一の筐体および前記第二の筐体の他方の側部に設けられ、前記第一の状態で操作するための第一のテレビ電話機能操作部と、前記第一の筐体および前記第二の筐体の一方を前記第一の状態よりも操作者の目から離した第二の状態で観察可能な第二の表示部と、前記第二の状態で操作するための第二のテレビ電話機能操作部とを有することを特徴とする携帯電話。
【請求項２】
前記第一のテレビ電話機能操作部は、携帯電話を右手で持ったときに操作する右手用操作部と、携帯電話を左手で持ったときに操作する左手用操作部とを有することを特徴とする請求項１に記載の携帯電話。
【請求項３】
前記右手用操作部と前記左手用操作部は、同一機能を有するともに、その一方が機能するときは、他方が機能しないことを特徴とする請求項２に記載の携帯電話。
【請求項４】
前記右手用操作部と前記左手用操作部は、前記表示画面を挟んで対称に配置されることを特徴とする請求項２または３に記載の携帯電話。
【請求項５】
携帯電話が右手で持たれているか左手で持たれているかを検知する検知部と、前記検知部の検知に応じ、前記右手用操作部と前記左手用操作部を切換える切換制御部とを有することを特徴とする請求項２から４のいずれかに記載の携帯電話。
【請求項６】
携帯電話が右手で持たれているか左手で持たれているかによって、前記表示部の表示の天地を反転する表示制御部を有することを特徴とする請求項１から５のいずれかに記載の携帯電話。
【請求項７】
携帯電話が右手で持たれているか左手で持たれているかを検知する検知部を有し、
前記表示制御部は、前記検知部の検知に応じ、表示の天地を反転することを特徴とする請求項６に記載の携帯電話。
【請求項８】
通常電話時には、前記第一のテレビ電話機能操作部を機能させないことを特徴とする請求項１から７のいずれかに記載の携帯電話。
【請求項９】
テレビ電話モードで通信するためのテレビ電話機能部と、画像を撮影するカメラ部と、音声を集音する音声入力部と、音声を発する音声出力部と、操作者の目の近傍に位置させた状態で、前記テレビ電話機能部または前記カメラ部からの画像信号を表示するための表示部と、右手で持ったときに操作するための右手用テレビ電話機能操作部と、前記右手用テレビ電話機能操作部と同一機能を有し、左手で持ったときに操作するための左手用テレビ電話機能操作部と、前記右手用テレビ電話機能操作部および前記左手用テレビ電話機能操作部のうち、上側になる方を機能させるとともに、下側になる方を機能させない操作制御部とを有することを特徴とする携帯電話。
【請求項１０】
テレビ電話モードで通信するためのテレビ電話機能部と、画像を撮影するカメラ部と、音声を集音する音声入力部と、音声を発する音声出力部と、操作者の目の近傍に位置させた状態で、前記テレビ電話機能部または前記カメラ部からの画像信号を表示するための表示部と、右手で持たれているか左手で持たれているかによって、前記表示部の表示の天地を反転する表示制御部とを有することを特徴とする携帯電話。
【発明の詳細な説明】
【技術分野】
【０００１】
本発明は、テレビ電話モードによる通話が可能な携帯電話に関するものである。
【背景技術】
【０００２】
従来より、発信側および受信側のそれぞれで撮影している画像を相互に送受信し、その画像を観賞しながら通話を行うテレビ電話が知られている。かかるテレビ電話によれば、例えば、電話機の表示画面に、お互いの顔を表示したり、通話相手に見せたい写真などを表示しながら通話を楽しむことができる。
【０００３】
近年、こうしたテレビ電話機能を、一般家庭用の電話機やパーソナルコンピュータの他、ＰＨＳや携帯電話に搭載する試みもなされており、特許文献１には、その一例としてテレビ電話機能を備えた携帯電話が開示されている。こうした携帯電話によれば、在宅時に限らず、外出先からであっても自由にテレビ電話機能を利用して通話を楽しむことが可能になる。
【特許文献１】特開平９−３２２１３８号公報
【発明の開示】
【発明が解決しようとする課題】
【０００４】
一般に、携帯電話は、一般家庭用の電話機やパーソナルコンピュータのように、ある場所に設置されて使用されるものではなく、操作者が携帯電話自体を手に持って使用するため、画像を見ながら通話するという特性上、様々な位置または角度に設定された状態でテレビ電話機能が利用されることが想定され、また、携帯電話を持つ位置も、操作者の好みによってばらつきが生じることが想定される。このため、使用可能な位置または角度を限定せず、表示画面に表示される画像を観賞しながら通話することができるとともに、テレビ電話機能を利用するに際して、携帯電話のどの位置を持っても所望のように操作することができる携帯電話の開発が強く望まれていた。
【０００５】
従って、本発明の目的は、操作性を向上しながら、様々な位置または角度で所望のようにテレビ電話機能を利用することができる携帯電話を提供することを目的とする。
【課題を解決するための手段】
【０００６】
本発明の前記目的は、テレビ電話モードで通信するためのテレビ電話機能部と、画像を撮影するカメラ部と、音声を集音する音声入力部が設けられた第一の筐体と、前記第一の筐体と折りたたみ可能に接続され、音声を発する音声出力部が設けられた第二の筐体と、前記第一の筐体および前記第二の筐体の一方を操作者の目の近傍に位置させた第一の状態で前記テレビ電話機能部または前記カメラ部からの画像信号に基づいて画像を表示するための第一の表示部と、前記第一の筐体および前記第二の筐体の他方の側部に設けられ、前記第一の状態で操作するための第一のテレビ電話機能操作部と、前記第一の筐体および前記第二の筐体の一方を前記第一の状態よりも操作者の目から離した第二の状態で観察可能な第二の表示部と、前記第二の状態で操作するための第二のテレビ電話機能操作部とを有することを特徴とする携帯電話によって達成される。
【０００７】
本発明によれば、第一の筐体および第二の筐体の一方を操作者の目の近傍に位置させた第一の状態でテレビ電話機能を利用する場合には、第一の表示部を介して、通話相手から送信される画像またはカメラ部で撮影される画像を観賞することができるとともに、その際に必要となる操作を、第一の筐体および第二の筐体の他方の側部に設けられた第一のテレビ電話機能操作部を利用して行うことができる。一方、第一の筐体および第二の筐体の一方を第一の状態よりも操作者の目から離した第二の状態でテレビ電話機能を利用する場合には、第二の表示部を介して、通話相手から送信される画像またはカメラ部で撮影される画像を観賞することができるとともに、その際に必要となる操作を、第二のテレビ電話機能操作部を利用して行うことができる。従って、使用可能な位置または角度を限定せず、表示画面に表示される画像を観賞しながら通話することが可能になるとともに、テレビ電話機能を利用するに際して、携帯電話のどの位置を持っても所望のように操作することが可能になる。
【０００８】
本発明の前記目的はまた、テレビ電話モードで通信するためのテレビ電話機能部と、画像を撮影するカメラ部と、音声を集音する音声入力部と、音声を発する音声出力部と、操作者の目の近傍に位置させた状態で、前記テレビ電話機能部または前記カメラ部からの画像信号を表示するための表示部と、右手で持ったときに操作するための右手用テレビ電話機能操作部と、前記右手用テレビ電話機能操作部と同一機能を有し、左手で持ったときに操作するための左手用テレビ電話機能操作部と、前記右手用テレビ電話機能操作部および前記左手用テレビ電話機能操作部のうち、上側になる方を機能させるとともに、下側になる方を機能させない操作制御部とを有することを特徴とする携帯電話によって達成される。
【０００９】
本発明の前記目的はまた、テレビ電話モードで通信するためのテレビ電話機能部と、画像を撮影するカメラ部と、音声を集音する音声入力部と、音声を発する音声出力部と、操作者の目の近傍に位置させた状態で、前記テレビ電話機能部または前記カメラ部からの画像信号を表示するための表示部と、右手で持たれているか左手で持たれているかによって、前記表示部の表示の天地を反転する表示制御部とを有することを特徴とする携帯電話によって達成される。
【発明の効果】
【００１０】
本発明によれば、操作性を向上しながら、様々な位置または角度で所望のようにテレビ電話機能を利用することができる携帯電話を提供することが可能になる。
【発明を実施するための最良の形態】
【００１１】
図１は、本発明における携帯電話の第一実施例の外観図である。図１（ａ）は、操作者が第一のテレビ電話モードで携帯電話を操作している状態の側面図、図１（ｂ）は、不使用時において携帯電話を折りたたんだ状態の側面図であり、各図において同一部分には同一符号を付す。
【００１２】
図１（ａ）は、接続部１によって互いに折りたたみ可能に接続されている電話本体２とフリップ３が最大角度に開かれた状態を図示している。図１（ａ）の状態において、操作者４は表示部５を見ながらテンキーなどの携帯電話操作部６を操作できる。また、図１（ａ）の状態では、操作者４の顔を内側カメラ７で撮影しながら表示部５に表示される通話相手の顔を見てテレビ電話をすることができる。この表示部５には、内側カメラ７で撮影した画像の他、後述する外側カメラ１０で撮影した画像や、テレビ電話モードでの通信によって通話相手から送信された画像を表示することも可能である。
【００１３】
第一のテレビ電話モードでは、電話本体２に設けられたマイクロフォン等の音声入力部８で操作者４の声が集音されるとともに、フリップ３に設けられたスピーカ等の音声出力部９から相手の声を聞くことができる。第一のテレビ電話モードでは、後述の通常電話モードに比べ、音声入力部８の感度が高くなるとともに、音声出力部９の音量が大きくなるように切換えられる。
【００１４】
上記の切換えのため、音声入力部８には、音声入力部８の近傍から発せられる音声を集音するための第一の音声入力装置（図示せず）と、音声入力部８から離れた位置から発せられる音声を集音するための第二の音声入力装置（図示せず）が設けられている。また、音声出力部９には、音声出力部９を耳の近傍に位置させて音声を聞くための第一の音声出力装置（図示せず）と、音声出力部９を耳から離れた場所に位置させて音声を聞くための第二の音声出力装置（図示せず）が設けられている。
【００１５】
なお、上記のような構成に代え、音声入力部８および音声出力部９にはそれぞれ共通の音声入力装置および音声出力装置を用い、その入力信号および出力信号をそれぞれ電気的に切換えることによって、機能的に第一、第二の音声入力装置および第一、第二の音声出力装置をそれぞれ構成してもよい。
【００１６】
また、第一のテレビ電話モードにおいては、内側カメラ７を外側カメラ１０に切換えれば、自分の顔の代わりに操作者４が見ている外界を撮影して通話相手に送信することもできる。なお、外側カメラ１０は、メインのカメラ撮影に使用するために設けられているものであり、接続部１の近傍に配置されるとともに、内側カメラ７よりも充実した光学性能を持つ。また、その光軸１０ａの方向が可変となっている。光軸１０ａの方向の切換えは、電話本体２の短手方向を回転軸として外側カメラ１０を回転させることによって行われ、接続部１を挟んで音声入力部８と音声出力部９とがなす角度に応じて、自動的に制御される。例えば、図１（ａ）の状態のように、携帯電話を耳から離して自然に傾けて持ったときには、光軸１０ａが水平となるように外側カメラ１０の角度が制御される。この結果、外側カメラ１０の光軸１０ａと携帯電話操作部６の面とがなす角度θ１０は鈍角となる。また、この状態のときの外側カメラ１０の光軸１０ａは、表示部５の法線と平行にはならない。なお、内側カメラ７および外側カメラ１０が撮影する画像の上下方向は、携帯電話を持ったときの上下方向と一致する。従って、この状態で外側カメラ１０が撮影する画像情報は、以後の表示、転送、記録の際、この上下方向にて取り扱われる。なお、図１（ａ）の操作状態では、矢印で示すように、操作者は電話本体２を持って携帯電話を片手保持することが想定されている。
【００１７】
図１（ａ）における携帯電話には、表示部５の他に、覗き込み型表示部１１が音声入力部８の近傍に設けられている。覗き込み型表示部１１においても、表示部５と同様に、外側カメラ１０で撮影した画像や、テレビ電話モードでの通信によって通話相手から送信された画像を表示することが可能である。この覗き込み型表示部１１は、図１（ａ）の状態で携帯電話が保持されているときに、操作者４からは容易に覗けない位置にあり、その使用は想定されていない。覗き込み型表示部１１の機能は後述する。
【００１８】
図１（ｂ）は、不使用時において携帯電話を折りたたんだ状態を示しており、携帯電話は、このような不使用位置と、図１（ａ）に示す第一のテレビ電話モード位置と、覗き込み型表示部１１を使用する後述の第二のテレビ電話モード位置との三つの位置の間で、電話本体２およびフリップ３の相対的な位置関係が変わるように折りたたみ可能となっている。なお、図１（ｂ）の不使用位置における外側カメラ１０の角度は、図１（ａ）に示す第一のテレビ電話モード位置における角度とは異なっていて、第二のテレビ電話モード位置と同じ角度になっている。これは、後述するように、接続部１を挟んで音声入力部８と音声出力部９とがなす角度が、不使用位置、第二のテレビ電話モード位置、第一のテレビ電話モード位置の順で広くなっていき、それに応じて、頻繁に外側カメラ１０の角度が変更されるのを避けるため、不使用位置と第二のテレビ電話モード位置との間で外側カメラ１０の角度を固定としたものである。
【００１９】
なお、上記の構成に代え、不使用位置と第二のテレビ電話モード位置との間でも外側カメラ１０の角度を変更するようにした上で、図１（ｂ）の不使用位置における外側カメラ１０の光軸１０ａを電話本体２の表面と垂直になるようにし、不使用位置においては、外側カメラ１０のレンズ面が電話本体２の背面に対してフラットになるように構成することも可能である。
【００２０】
以上のいずれの場合においても、第一のテレビ電話モード位置または第二のテレビ電話モード位置では、外側カメラ１０は、光軸１０ａが電話本体２の背面と垂直にはならず、電話本体２の背面の法線方向に対し傾いた角度をとる。
【００２１】
図２は、通常電話モードにおける第一実施例の携帯電話を操作者とともに示したものであり、図２（ａ）はその正面図、図２（ｂ）はその上面図である。各図において図１と同一部分には同一符号を付す。
【００２２】
図２における通常電話モードでは、図１（ａ）と同様、接続部１によって互いに折りたたみ可能に接続されている電話本体２とフリップ３が最大角度に開かれており、外側カメラ１０の角度も図１（ａ）と同じである。なお、図２（ａ）に示される通常電話モードでは、矢印で示すように、図１（ａ）の操作状態と同様、操作者４は電話本体２を持って携帯電話を片手保持することが想定されている。
【００２３】
また、図２の通常電話モードでは、覗き込み型表示部１１の使用は想定されていない。図２（ａ）から分かるように、通常電話モードで携帯電話を持ったとき、覗き込み型表示部１１は操作者４の目の前にはない。さらに、図２（ｂ）から分かるように、通常電話モードでは、仮に携帯電話の持ち方を変えて覗き込み型表示部１１を目の近傍に持ってきたとしても操作者４の目の視軸Ａと覗き込み型表示部１１の光軸１１ａとが一致しないため、操作者４から覗き込み型表示部１１を容易に覗けない状態にある。
【００２４】
図３は、第二のテレビ電話モード位置において使用されている第一実施例の携帯電話を操作者とともに示したものであり、図３（ａ）は、その正面図、図３（ｂ）はその上面図である。各図において、図１および図２と同一部分には同一符号を付す。
【００２５】
図３における第二のテレビ電話モード位置では、接続部１によって互いに折りたたみ可能に接続されている電話本体２とフリップ３の開き角度が図２の状態より狭くなっている。以下、この角度を「中開き角度」と称する。なお、接続部１には、この中開き角度への設定を容易にするためのクリック感覚を操作者４に与えるための機構が採用されている。また、矢印で示すように、図３（ａ）の第二のテレビ電話モード位置においては、操作者４がフリップ３を持って携帯電話を片手保持することが想定されている。
【００２６】
図３（ａ）から分かるように、第二のテレビ電話モード位置の携帯電話は、電話本体２が顔の前に持ち上げられており、覗き込み型表示部１１を自然な下目状態で覗き込むことが可能である。図３（ｂ）から分かるように、第二のテレビ電話モード位置における覗き込み型表示部１１と操作者４の目との位置関係は、覗き込み型表示部１１の光軸１１ａと目の視軸Ａとが容易に一致する位置関係にある。
【００２７】
また、外側カメラ１０の角度は図２（ｂ）とは異なり、図３（ｂ）では、光軸１０ａと携帯電話操作部６の面とがなす角度θ１０が鋭角とされ、光軸１０ａが覗き込み型表示部１１の光軸１１ａとほぼ平行になる角度に設定されている。このため、外側カメラ１０が撮影する画面の方向と、操作者４の目が見る方向と、覗き込み型表示部１１の覗き込み方向とが全て、ほぼ一致するようになっている。従って、外側カメラ１０が撮影する画像が覗き込み型表示部１１に表示された場合、その画像の中心と操作者４の目が見る被写界の中心がほぼ一致する。
【００２８】
なお、外側カメラ１０の角度は、外側カメラ１０の焦点調整位置によって微調整されるように構成されており、例えば、遠距離に焦点を合わせる場合には、光軸１０ａが操作者４の目の視軸Ａと平行になるように設定されるが、近距離に焦点を合わせる場合には、光軸１０ａが操作者４の目の視軸Ａ側に傾くように設定される。
【００２９】
また、図３（ｂ）の第二のテレビ電話モード位置において外側カメラ１０が撮影する画面の上下方向は、図１（ａ）の第一のテレビ電話モード位置において携帯電話を縦に持ったときに外側カメラ１０が撮影する画面の上下方向と異なっている。具体的には、ほぼ９０度異なっており、第二のテレビ電話モードにおいて外側カメラ１０が撮影する画像情報は、以後の表示、転送、記録の際、この上下方向にて取り扱われる。
【００３０】
なお、外側カメラ１０は図示しない焦点調整機構を持っており、図１（ａ）の第一のテレビ電話モード位置では、外側カメラ１０の焦点調節位置が遠距離を中心とした領域となるように自動設定されるのに対し、図３（ｂ）の第二のテレビ電話モードでは、外側カメラ１０の焦点調節位置は近距離を中心とした領域となるように自動設定される。これは、第二のテレビ電話モード位置では、ドキュメントやサンプルなどの操作者４の手元にある被写界を撮影することが多いことを想定している。勿論、図３（ｂ）の第二のテレビ電話モード位置でも、外側カメラ１０で遠方を撮影することがあるので、必要に応じ、焦点調節位置が遠距離を中心とした領域となるように手動調節またはオートフォーカス手段により焦点位置を切換えることは可能である。
【００３１】
図４は、第二のテレビ電話モード位置における第一実施例の携帯電話の正面図である。図４では、携帯電話操作部６が、テンキー６ａと方向指示キー６ｂに分けて図示されているが、その他の図１から図３と同一部分には同一符号を付し、特に補足のない限りは説明を省略する。
【００３２】
テンキー６ａは、通話先の電話番号などを入力するための入力インターフェースであり、方向指示キー６ｂは、メニュー選択や、外側カメラ１０および内側カメラ７のレリーズ操作、ズーム操作などを行うための入力インターフェースである。
【００３３】
本実施例において、表示部５は、第二のテレビ電話モード位置では使用されず、表示も行われないが、覗き込み型表示部１１の機能の説明のため、図４においては、表示が行われる場合の画面を破線で示している。表示部５に表示される画面の上下方向を、覗き込み型表示部１１を覗き込んだときに見える画像１２の上下方向と比較すると、両者は互いに平行ではなく、ほぼ９０度異なっている。また、覗き込み型表示部１１を覗き込んだときに見える画像１２の上下方向は、左右方向より長い。これは、表示部５によって表示される画面の上下方向も左右方向より長くなっていることに対応させたものである。このため、画面の縦横の比率は、表示部５を使用する場合および覗き込み型表示部１１を使用する場合のいずれにおいても同じとなる。
【００３４】
既に述べたように、第二のテレビ電話モード位置においては、操作者４がフリップ３を持って携帯電話を片手保持することが想定されている。また、第二のテレビ電話モード位置においては、操作者４が右手でフリップ３を持って右目で覗き込み表示部１１を覗き込む場合と、操作者４が左手でフリップ３を持って左目で覗き込み表示部１１を覗き込む場合が想定されている。このため、第一実施例の携帯電話には、第二のテレビ電話モード位置におけるテレビ電話機能操作部としてフリップ３の両側に、対称的に右手用操作部と左手用操作部が設けられている。
【００３５】
具体的には、右手用操作部として、覗き込み表示部１１の表示を、通話相手から送られてくる画像と自分が外側カメラ１０で撮影している画像との間で切換えるための右手用画像切換えボタン１３、シャッタレリーズを行うための右手用レリーズボタン１４、および、これらの操作を自分の携帯電話に対して行うか、相手の携帯電話に対して行うかを切換えるための右手用指示先切換えボタン１５が設けられている。一方、左手用操作部として、表示部５を挟んで、これらと対称の位置に、左手用画像切換えボタン１６、左手用レリーズボタン１７および、左手用指示先切換えボタン１８が設けられている。これらの右手用操作部と左手用操作部は、一方が有効とされると他方が無効とされ、また、その切換えは、重力検知部によって自動的に行われる。
【００３６】
外側カメラ用ズーム操作ダイアル１９は、表示部５と垂直な方向を回転軸として回転可能に構成されており、右手の操作でも左手の操作でも親指で回転させることが可能なようにフリップ３の端部に設けられている。ただし、右手で操作されている場合と左手で操作されている場合とで、テレ側への回転操作方向が逆になるように内部で回路的に切換え処理される。この切換えも重力検知部によって自動的に行われる。
【００３７】
右手用機能ボタン１９Ｒと左手用機能ボタン１９Ｌは、ズーム操作ダイアル１９の機能を切換えるためのもので、左右の切換は右手用画像切換えボタン１３と左手用画像切換えボタン１６等の関係と同様である。右手用機能ボタン１９Ｒまたは左手用機能ボタン１９Ｌを押しながらズーム操作ダイアル１９を操作すると、ズーム操作ダイアル１９の機能は、画面内カーソル操作用に切換わる。右手用機能ボタン１９Ｒまたは左手用機能ボタン１９Ｌを押しながら操作したとき、ズーム操作ダイアル１９は回転方向だけでなく、フリップ３の内部への押し込み方向にスライド可能となり、さらに、回転方向と直交する方向にも傾斜可能となる。また、右手用機能ボタン１９Ｒまたは左手用機能ボタン１９Ｌを押すと、覗き込み型表示部１１の画面内にカーソルマークが現れる。
【００３８】
画面内カーソル操作用に切換わった状態で、ズーム操作ダイアル１９を回転させるか、または、ズーム操作ダイアル１９を回転方向と直交する方向に傾斜させると、覗き込み型表示部１１の画面内に表示されるカーソルマークが上下左右に移動する。なお、カーソルマークの上下左右への移動方向は、右手用機能ボタン１９Ｒを押しているか、左手用機能ボタン１９Ｌを押しているかで反転する。また、覗き込み型表示部１１の画面内に表示されるメニューやボタンにカーソルが重なった状態で、ズーム操作ダイアル１９をフリップ３の内部へ押し込むように操作すると、それらのメニューやボタンをクリックする動作となる。
【００３９】
上記のカーソルの動きは、第二のテレビ電話モードで通話している通話相手の画面内にも現れる。従って、視野を共有して通信している相手に対し、所望の部分を視覚的に指定することができる。
【００４０】
重力検知部による右手操作と左手操作の検出情報は、以上のような操作部の切換えだけでなく、覗き込み型表示部１１の表示制御部にも伝えられ、表示される画像の天地が右手操作の場合と左手操作の場合とで反転するように切換えが行われる。
【００４１】
第二のテレビ電話モード用としてフリップ３に設けられている上記の操作部１３ないしズーム操作ダイアル１９、ならびに、右手用機能ボタン１９Ｒおよび左手用機能ボタン１９Ｌは、通常電話モードまたは第一のテレビ電話モードでは非動作とされる。
【００４２】
図５は、第一実施例における電話本体２の側断面図であり、覗き込み表示部１１の構成の詳細を示す。図１から図４と同一部分には同一符号を付し、特に補足のない限りは説明を省略する。
【００４３】
図５において、覗き込み型表示部１１は、液晶表示装置などからなる表示素子１１１と、その拡大虚像を見るためのアイピースなどからなる接眼光学系１１２を有する。図４に示すように、覗き込み型表示部１１は、その長手方向が電話本体２の長手方向と直交するように配置されているため、図５では、表示素子１１１の短手方向の断面が見えている。これに対し、仮に、図４において、覗き込み型表示部１１を、その長手方向が電話本体２の長手方向と平行になるように配置したとすると、図５では、表示素子１１１の長手方向の断面が見えることになり、電話本体２の厚さ方向に、よりスペースを必要とする結果となる。これから分かるように、第一実施例のように、覗き込み型表示部１１を、その長手方向が電話本体２の長手方向と直交するように配置して、覗き込み型表示部１１を覗き込んだときに見える画像１２が縦長となる構成は、電話本体２の厚さを薄くすることにつながり、覗き込み型表示部１１をコンパクトに配置する上で効果がある。
【００４４】
接眼光学系１１２は、電話本体２の表面近傍に設けられており、その光軸１１ａは、図３（ｂ）に示すように、第二のテレビ電話モード位置において操作者４の瞳の方向を向くように、電話本体２の表面の法線方向よりも接続部１側に傾いている。また、接眼光学系１１２の近傍には、操作者４が近視や遠視でも覗き込み型表示部１１に表示される画像を観察しやすいようにするため、接眼光学系１１２を光軸１１ａの方向に移動させて視度を調節する視度調節機構１１３が設けられている。
【００４５】
さらに、覗き込み型表示部１１には、接眼光学系１１２の光軸１１ａを屈曲させるためのミラー等の反射光学系１１４が設けられており、この結果、接眼光学系１１２から表示素子１１１に至る光路は、電話本体２の音声入力部９側の端部（図５では左側）に向かって屈曲する。また、接眼光学系１１２の光軸１１ａが反射光学系１１４となす角度θ１１は鋭角になるように設定され、好ましくは、０°＜θ１１＜４５°になるように設定される。以上の構成も、覗き込み型表示部１１をコンパクトに配置する上で効果がある。
【００４６】
表示素子１１１は、透過型の素子であって、その背後に照明部１１５が設けられている。上記のように接眼光学系１１２から表示素子１１１に至る光路が携帯電話端部に向かって屈曲しているので、照明部１１５は、さらに電話本体２の音声入力部８側の端部に近い位置に配置されることになり、発熱を伴う照明部１１５の放熱を図る上で効果がある配置となる。
【００４７】
また、この照明部１１５は、その明るさを制御する明るさ制御部（図示せず）を有し、明るさ制御部は、外側カメラ１０から出力される画像信号のレベルの平均値に基づいて照明部１１５への供給電力を制御する。これによって、覗き込み型表示部１１の表示明るさは、外側カメラ１０が撮像する被写界の明るさに応じて変化することになり、図３（ｂ）のように、右目で覗き込み型表示部１１を覗き、左目で被写界を見ているときでも、操作者４の両目に入る光の強さがアンバランスになるのが防止される。操作者４の左目が見ている被写界と外側カメラ１０が撮像する被写界が同一方向なので、このような構成により、極めて合理的な明るさ制御ができる。
【００４８】
図６は、本発明における携帯電話の第一実施例の機能ブロック図である。図６において、右手用機能ボタン１９Ｒおよび左手用機能ボタン１９Ｌは、スペースの都合で図示していないが、右手用／左手用操作部２８内に存在する。その他、図１から図５と同一部分には同一符号を付し、特に補足のない限りは説明を省略する。
【００４９】
図６において、制御部２０は、携帯電話の機能全体を制御するものであり、各機能ブロックが接続されている。不使用時において、携帯電話が図１（ｂ）のように折りたたまれた状態では、折曲角度検知部２１がこれを検知し、制御部２０に検知結果の信号を送る。制御部２０は、これに応じて入出力切換部２２を制御し、入出力部２３を非動作状態とする。
【００５０】
通常電話モードとするために、携帯電話を図１（ａ）のように最大角度に開くと、折曲角度検知部２１がこれを検知し、制御部２０は、これに応じて入出力切換部２２を制御して入出力部２３を通常電話モードに設定させる。具体的には、音声入力部８を低感度に設定するとともに、音声出力部９を小音量に設定し、図２のように携帯電話を顔の近傍に位置させた状態で通話するのに適切な設定とする。また、表示部５を動作状態とするとともに、覗き込み型表示部１１を非動作状態とする。この状態において、表示部５を見ながら携帯電話操作部６を操作し、通話相手の電話番号を入力して発信すれば通信部２４が機能して通常電話が可能となる。
【００５１】
また、通常電話モードでは、カメラ切換部２５がカメラ部２６の外側カメラ１０を制御し、その光軸角度を図１の状態に設定する。従って、携帯電話操作部６を操作してカメラモードへの切換えを行えば、写真撮影を行うことができる。カメラモードでは、カメラ部２６が動作し、通常は外側カメラ１０が被写界を撮影するとともに、画像信号を入出力部２３の表示画面に表示する。外側カメラ１０はズーム機能を有しているので、携帯電話操作部６の操作でズーミングを行うこともできる。表示部５を見て構図を決め、携帯電話操作部６を操作してレリーズを行うと、カメラ部２６からの画像信号は記録部２７に記録される。記録部２７の画像は、携帯電話操作部６の操作により再生して表示部５に表示することもできる。
【００５２】
一方、第一のテレビ電話モードでの通話を行うために携帯電話操作部６を操作すると、入出力切換部２２は入出力部２３を制御し、音声入力部８を高感度に設定するとともに、音声出力部９を大音量に設定し、図１（ａ）のように携帯電話を顔から離した状態で通話するのに適切な設定とする。なお、第一のテレビ電話モードにおいても、表示部５が動作状態とされるとともに、覗き込み型表示部１１は非動作状態とされる。表示部５には、通常、外側カメラ１０または内側カメラ７で撮影した画像と、第一のテレビ電話モードで通信している相手から送信される画像との双方が表示される。表示部５の表示可能領域は、メイン表示するためのメイン表示領域と、メイン表示領域よりも表示面積の小さいサブ表示領域とに分割されており、メイン表示領域に外側カメラ１０または内側カメラ７で撮影した画像が表示され、サブ表示領域に通信している相手から送信される画像が表示される。なお、表示部５の表示状態は、携帯電話操作部６を操作することによって切換えることが可能であり、例えば、外側カメラ１０または内側カメラ７で撮影した画像のみを表示したり、通信している相手から送信される画像のみを表示することもできる。
【００５３】
また、第一のテレビ電話モードでの通話を行う場合には、外側カメラ１０の光軸角度１０ａは図１の状態に設定される。制御部２０は、第一のテレビ電話モードで通話を行う操作によってカメラ部２６を制御し、通常は内側カメラ７を動作状態として自分の顔が撮像されるようにするとともに、外側カメラ１０を非動作状態とする。しかし、携帯電話操作部６の操作で、外側カメラ１０を動作状態とし、内側カメラ７を非動作状態とするように任意に切換を行うこともできる。
【００５４】
第二のテレビ電話モードでの通話を行うために携帯電話を図３のように中開き角度にすると、折曲角度検知部２１がこれを検知し、制御部２０は、これに応じて入出力切換部２２を制御して入出力部２３を第二のテレビ電話モードに設定させる。具体的には、音声入力部８を低感度に設定するとともに、音声出力部９を小音量に設定し、図３のように携帯電話を顔の近傍に位置させてテレビ電話を行うのに適切な設定とする。また、覗き込み型表示部１１を動作状態とするとともに、表示部５を非動作状態とする。なお、覗き込み型表示部１１においても、表示部５と同様に、右手用画像切換ボタン１３または左手用画像切換ボタン１６の操作によって、表示状態を切り換えることが可能である。
【００５５】
また、第二のテレビ電話モードで通話を行う場合には、制御部２０は、カメラ部２６を制御し、外側カメラ１０を動作状態とするとともに、外側カメラ１０の光軸角度１０ａを図３の状態に設定する。
【００５６】
第二のテレビ電話モードにおいて通信を開始するには、まず、第一のテレビ電話モードにおいて表示部５を見ながら携帯電話操作部６を操作し、通話相手の電話番号を入力して発信する。そして、通信部２４が機能して電話が繋がれば、第二のテレビ電話モードに切換えるべく、携帯電話の開き角度を中開き角度にする。
【００５７】
第二のテレビ電話モードへの切換操作は、上記のように通信開始の直後に行う他、当初、第一のテレビ電話モードで通話を開始し、途中で第二のテレビ電話モードに切換える際も同様である。また、当初、通常電話モードで通話を開始し、途中で第二のテレビ電話モードに切換える際も同様である。すなわち、いずれの場合においても、回線が繋がっている状態において、電話本体２とフリップ３の開き角度を最大角度から中開き角度にすることによって、第二のテレビ電話モードへの切換が行われる。
【００５８】
第二のテレビ電話モードにおける通話中の操作は、右手用／左手用操作部２８によって行う。右手用／左手用操作部２８には、既に述べた右手用画像切換ボタン１３、右手用レリーズボタン１４、右手用指示先切換ボタン１５、左手用画像切換ボタン１６、左手用レリーズボタン１７および、左手用指示先切換ボタン１８が含まれている。これらの右手用操作部と左手用操作部は、一方が有効とされると他方が無効とされるが、この切換えは、重力検知部２９によって自動的に行うことができる。具体的には、操作者が携帯電話を顔に近づけたときに、重力検知部２９によって右手用操作部と左手用操作部のどちらが上に位置しているかが検知され、その検知結果が制御部２０に送られる。その後、制御部２０によって左右切換部３０が制御され、上に位置している側の操作部を有効とし、下に位置している側の操作部を無効とするように右手用／左手用操作部２８が設定される。
【００５９】
また、制御部２０は、重力検知部２９の検知結果に基づき、ズーム操作ダイアル１９のテレ側への回転操作方向が右手操作の場合と左手操作の場合とで逆になるよう内部で回路的に処理し、外側カメラ１０のズーム機構を制御する。さらに、制御部２０は、重力検知部２９の検知結果に基づき、覗き込み型表示部１１の表示制御部を制御し、表示される画像の天地が右手操作の場合と左手操作の場合とで逆になるように覗き込み型表示部１１の設定を切り換える。
【００６０】
上述のように、通常は電話本体２とフリップ３の開き角度を最大角度から中開き角度にすることによって、第二のテレビ電話モードへの切換が行われるが、通常電話をしている途中で、通話相手が第二のテレビ電話モードへの切換を行ったときは、電話本体２とフリップ３が図２のように最大角度に開いていても第二のテレビ電話モードにおける受信に切換わる。そして、覗き込み型表示部１１の表示も始まる。しかし、受信側がこのことに気付かないと困るので、入出力部２３にはランプ等の警告部３１が設けられており、これが点滅することによって第二のテレビ電話モードへの切換が行われたことを警告する。警告部３１は、音声入力部８近辺の携帯電話の外壁に設けられており、その点滅は図２の状態で通話している操作者４の目に入る。これに気付いて操作者４が電話本体２とフリップ３の開き角度を中開き角度にすれば、警告部３１の点滅は止まる。なお、通常電話をしている途中での第二のテレビ電話モードへの切換は警告部３１による他、音声出力部９から短時間、警告音を発することによっても行われる。
【００６１】
警告部３１は、電話本体２とフリップ３が第二のテレビ電話モード位置にない状態において、通話相手が第二のテレビ電話モードに設定した状態で電話をかけてきた場合にも機能する。この場合、警告部３１を見た操作者４は、第二のテレビ電話モードにおける着信であることを了解して、電話本体２とフリップ３の開き角度を中開き角度に設定して受信を行う。当初、警告部３１の点滅に気付かず、誤って第二のテレビ電話モード位置以外で受信を開始したとしても、上記のように、途中から第二のテレビ電話モードに切換わった場合と同様、警告部３１の点滅が目に入るのでこれに気付くことができる。
【００６２】
方位検知部３２は、外側カメラ１０の光軸１０ａがどの方位を向いているかを検知するもので、その結果は制御部２０に伝えられるとともに、必要に応じ通信部２４から通話相手先にも伝えられる。
【００６３】
図７は、図６の制御部２０の機能を示すフローチャートであり、電源をオンした際の動作を説明するためのものである。フローがスタートすると、ステップＳ１で携帯電話が不使用状態から開かれるか、または、操作部のいずれかが操作されて電源がオンになったかどうかをチェックし、オンになっていれば、ステップＳ２に進んで無操作タイマーにリセットスタートをかける。なお、この無操作タイマーは、後のステップにおいて、操作者によって何らかの操作が行われた場合には、その時点で改めてリセットされ、そこからカウントが開始される。そして、ステップＳ３で音声入力部８を低感度入力に、音声出力部９を小音量出力に、それぞれ設定し、通常電話モードまたは第二のテレビ電話モードに対応可能な状態にする。
【００６４】
ステップＳ４では、折曲角度検知部２１の検知結果が第二のテレビ電話モードの角度（中開き角度）かどうかをチェックする。第二のテレビ電話モードの角度であればステップＳ５に進み、機能させる表示部として覗き込み型表示部１１を選択する。つまり、覗き込み型表示部１１を動作状態とするとともに、表示部５を非動作状態とする。この際、覗き込み型表示部１１の照明部１１５を動作状態とするとともに、表示部５のバックライトを非動作状態とする。
【００６５】
次いで、ステップＳ６で、外側カメラ１０の光軸１０ａを第二のテレビ電話モード位置での角度、すなわち、図３（ｂ）の角度に設定するとともに、その焦点調節位置を、近距離を中心とした領域となるように設定する。さらに、図３（ａ）の状態において、外側カメラ１０が撮像する画像情報の上下方向が、以後の表示、転送、記録の際の上下方向となるように画像データの取り扱いを設定する。
【００６６】
ステップＳ７では、右手用／左手用操作部２８、ズーム操作ダイアル１９のテレ側操作回転方向および覗き込み型表示部１１の天地方向を右手持ち用に設定し、ステップＳ８で、左手持ちかどうかをチェックする。そして、左手持ちであった場合には、ステップＳ９で、ステップＳ７の設定をすべて左手用に変更してステップＳ１０に進む。一方、ステップＳ８で左手持ちでなかったときは、ステップＳ７の設定をそのままにしてステップＳ１０に進む。
【００６７】
ステップＳ１０では、電源オン後の携帯電話の各操作を受付け可能にする。次いで、ステップＳ１１に進み、無操作タイマーがタイムアップしたかどうかをチェックし、タイムアップしていれば、ステップＳ１２で電源を自動的にオフして、ステップＳ１に戻る。一方、ステップＳ１１で無操作タイマーがタイムアップしていなければ、ステップＳ３に戻り、モード変更や左右の持ち替えに対応する。
【００６８】
ステップＳ４での折曲角度検知部２１のチェックの結果、第二のテレビ電話モード位置での角度（中開き角度）でなかったときは、携帯電話が最大角度に開かれていることを意味するから、ステップＳ１３に移行し、機能させる表示部として表示部５を選択する。つまり、表示部５を動作状態とするとともに、覗き込み型表示部１１を非動作状態とする。この際、表示部５のバックライト照明を動作状態とするとともに、覗き込み型表示部１１の照明部１１５を非動作状態とする。
【００６９】
さらに、ステップＳ１４において、外側カメラ１０の光軸１０ａを第一のテレビ電話位置での角度、すなわち、図１（ａ）の角度に設定するとともに、その焦点調節位置を、遠距離を中心した領域となるように設定する。また、図１（ａ）の状態において、外側カメラ１０が撮像する画像情報の上下方向が、以後の表示、転送、記録の際の上下方向となるように画像データの取り扱いを設定する。
【００７０】
次いで、ステップＳ１５に進み、テレビ電話モードであるかどうかをチェックする。携帯電話が最大角度に開かれている状態でテレビ電話モードであったときは、第一のテレビ電話モードであることを意味するため、ステップＳ１６に進んで、音声入力部８を高感度入力に、音声出力部９を大音量出力に、それぞれ設定変更してステップＳ１０に移行する。一方、ステップＳ１５でテレビ電話モードでなかった場合は、通常電話モードであるから、音声入力部８および音声出力部９の入出力レベルを変更せずにステップＳ１０に移行する。
【００７１】
図８は、テレビ電話モードまたは通常電話モードでの通信処理を示すフローチャートである。本フローは、操作者が発信ボタンを押して、通話相手に対し、通話を試みるとスタートする。
【００７２】
自分の携帯電話の開き角度を中開き角度に設定し、第二のテレビ電話モードで相手と通信する場合には、まず、ステップＳ２０において、自分の携帯電話および相手の携帯電話の状態を相互に通知するための準備設定を行う。本ステップでは、以後のステップにおいて、自分が携帯電話を操作した場合や相手が携帯電話を操作した場合に、それを相互に通信するための準備設定が行われる。このため、後のステップで携帯電話の設定変更などがあったときには、それが速やかに通話相手に伝えられる。
【００７３】
次いで、ステップＳ２１において、自分の携帯電話が通常電話モードに設定されているか否かをチェックする。ここでは、第二のテレビ電話モードに設定されているため、ステップＳ２２に進み、警告部３１によって警告がなされている否かをチェックする。この時点では、警告は行われていないため、ステップＳ２３に進み、自分の携帯電話が中開き角度に設定されているか否かをチェックする。
【００７４】
第二のテレビ電話モードで通信する場合には、自分の携帯電話は中開き角度に設定されているため、ステップＳ２４に進み、相手に対して、自分の携帯電話が第二のテレビ電話モードに設定されていることを通知する。
【００７５】
次いで、ステップＳ２５において、第二のテレビ電話モードによる通信が開始され、以後、自分または相手が携帯電話の動作モードを切換えるか、通話を終了して回線を切断するまで、第二のテレビ電話モードによる通信が継続される。
【００７６】
次に、ステップＳ２６において、通信が継続された状態で自分の携帯電話が中開き角度に設定されたか否かをチェックする。第二のテレビ電話モードで通信を開始したときは、中開き角度に設定された状態でステップＳ２６に至るため、ステップＳ２７に進み、警告部３１による警告がオフされる。この時点では、警告部３１による警告はなされていないため、警告がオフされた状態が継続され、ステップＳ２８に進む。
【００７７】
ステップＳ２８においては、通話が終了して回線を切断したか否かをチェックする。回線を切断していれば、第二のテレビ電話モードによる通信処理を終了する。一方、回線を切断していなければ、ステップＳ２１に戻り、第二のテレビ電話モードでの通信が続けられている限り、ステップＳ２１ないしＳ２７の処理を繰り返す。このようにして、第二のテレビ電話モードによる通信処理が実行される。
【００７８】
これに対して、自分の携帯電話の動作モードを通常電話モードに設定し、通常電話モードで相手と通信する場合には、まず、第二のテレビ電話モードで相手と通信する場合と同様に、ステップＳ２０において、自分の携帯電話および相手の携帯電話の状態を相互に通知するための準備設定を行う。
【００７９】
次いで、ステップＳ２１において、自分の携帯電話が通常電話モードに設定されているか否かをチェックする。ここでは、通常電話モードに設定されているため、ステップＳ２９に進み、相手に対して、自分の携帯電話が通常電話モードに設定されていることを通知する。
【００８０】
次に、ステップＳ３０において、通常電話モードによる通信が開始され、以後、自分または相手が携帯電話の動作モードを切換えるか、通話を終了して回線を切断するまで、通常電話モードによる通信が継続される。
【００８１】
次いで、ステップＳ３１において、通信が継続された状態で相手の携帯電話の開き角度が中開き角度に設定されたか否かをチェックする。相手の携帯電話の開き角度が中開き角度に変更されていなければ、ステップＳ２８に進み、回線が切断されたか否かをチェックする。
【００８２】
一方、相手の携帯電話の開き角度が中開き角度に変更された場合、すなわち、相手が第二のテレビ電話モードによる通話への切換えを希望している場合には、ステップＳ３２に進み、自分の携帯電話の警告部３１を動作させて警告を行い、操作者（自分）に対して、相手が第二のテレビ電話モードでの通話を希望している旨を通知する。
【００８３】
警告を行うと、ステップＳ２５に進み、自分の携帯電話の動作モードを第二のテレビ電話モードに切り換える。この時点では、まだ、自分の携帯電話の開き角度は、中開き角度以外の角度に設定された状態であるが、ステップＳ２５においては、自分の携帯電話の開き角度が中開き角度以外の角度であっても自分の携帯電話の動作モードを強制的に第二のテレビ電話モードに切り換え、第二のテレビ電話モードによる通信を開始する。
【００８４】
次いで、ステップＳ２６において、自分の携帯電話の開き角度が中開き角度に設定されたか否かをチェックし、中開き角度に変更されていれば、ステップＳ２７に進んで、警告部３１による警告を停止する。
【００８５】
一方、中開き角度に変更されていなければ、ステップＳ２８に進み、回線を切断したか否かをチェックする。回線を切断していなければ、ステップＳ２１に戻り、続くステップＳ２２において、警告部３１による警告が行われているかをチェックする。この時点では、警告３１による警告は継続されているため、ステップ２３の自分の携帯電話が中開き角度に設定されているか否かのチェックは行わず、ステップＳ２４に進む。その後は、自分の携帯電話の開き角度が中開き角度に設定されるまで、警告部３１による警告が継続されるとともに、回線が切断されるまで通話相手との通信が行われる。以上のようにして、通常電話モードによる通信処理が実行される。
【００８６】
また、自分の携帯電話の動作モードを第一のテレビ電話モードに設定し、第一のテレビ電話モードで相手と通信する場合には、まず、第二のテレビ電話モードで相手と通信する場合と同様に、ステップＳ２０において、自分の携帯電話および相手の携帯電話の状態を相互に通知するための準備設定を行う。
【００８７】
次いで、ステップＳ２１において、自分の携帯電話が通常電話モードに設定されているか否かをチェックする。ここでは、第一の電話モードに設定されているため、ステップＳ２２およびＳ２３を経て、警告中であるか否か、自分の携帯電話の開き角度が中開き角度に設定されているか否かを順次チェックする。
【００８８】
第一のテレビ電話モードで通話する場合には、自分の携帯電話の開き角度は最大角度に設定されているため、ステップＳ３３に進み、相手に対して、自分の携帯電話が第一のテレビ電話モードに設定されていることを通知し、ステップＳ３４で、第一のテレビ電話モードによる通信を開始する。
【００８９】
次に、ステップＳ３５において、通信が継続された状態で相手の携帯電話の開き角度が中開き角度に設定されたか否かをチェックする。相手の携帯電話の開き角度が中開き角度に変更されていなければ、ステップＳ２８に進み、回線を切断したか否かをチェックする。
【００９０】
一方、相手が第二のテレビ電話モードによる通話への切換えを希望し、相手の携帯電話の開き角度が中開き角度に変更された場合には、ステップＳ３６に進み、自分の携帯電話の警告部３１による警告を行う。
【００９１】
その後は、通常電話モードで通話している間に相手の携帯電話の開き角度が中開き角度に変更された場合と同様にして、自分の携帯電話の開き角度が中開き角度に設定されるまで、警告部３１による警告が継続されるとともに、回線が切断されるまで通話相手との通信が行われる。
【００９２】
図９は、図８に示されるステップＳ２５の第二のテレビ電話モード通信処理、および、ステップＳ３４の第一のテレビ電話モード通信処理の内容を示すフローチャートである。
【００９３】
テレビ電話モードによる通信処理を実行するにあたっては、まず、ステップＳ４０において、自分の携帯電話の外側カメラ１０または内側カメラ７で撮影している画像を相手の携帯電話に送信するとともに、相手の携帯電話で撮影している画像を送信してもらい、自分の携帯電話で受信する。この結果、自分の携帯電話の表示部５または覗き込み型表示部１１には、自分の携帯電話で撮影した画像と相手の携帯電話で撮影した画像との双方が表示される。
【００９４】
次いで、ステップＳ４１において、自分が、自分の携帯電話の表示部５または覗き込み型表示部１１の表示画面を変更するための操作を実行したか否かをチェックする。例えば、表示部５または覗き込み型表示部１１の表示画面をスクロールするための操作や、表示画面内に表示されているカーソルを移動させるための操作を実行したり、あるいは、表示画面を拡大、縮小するためのズーム処理を実行すると、表示画面を変更するための操作を実行した場合に該当し、ステップＳ４５に進む。
【００９５】
ステップＳ４５に進むと、操作内容に従って、自分の携帯電話の表示部５または覗き込み型表示部１１の表示内容を変更するための画面処理を実行し、ステップＳ４６に進む。ステップＳ４５については、後述の図１０で詳述する。
【００９６】
ステップＳ４６においては、第二のテレビ電話モードまたは第一のテレビ電話モードによる通信処理を実行し、通話可能な状態とする。こうして、通話可能な状態に設定されると、図８のステップＳ２８で、回線を切断したことが検知されるまで、通話可能な状態が維持される。
【００９７】
一方、ステップＳ４１において、自分が、自分の携帯電話の表示部５または覗き込み型表示部１１の表示画面を変更するための操作を実行していなければ、ステップＳ４２に進み、相手が、自分の携帯電話の表示部５または覗き込み型表示部１１の表示画面を変更するための操作を実行したか否かをチェックする。操作を実行した場合には、ステップＳ４５に進み、操作を実行していない場合には、ステップＳ４３に進む。
【００９８】
ステップＳ４３においては、自分が、相手の携帯電話の表示画面を変更するための操作を実行したか否かをチェックし、操作を実行した場合には、ステップＳ４５に進む。
【００９９】
これに対して、操作を実行していない場合には、ステップＳ４４に進み、相手が、相手の携帯電話の表示画面を変更するための操作を実行したか否かをチェックする。本実施例においては、図８のステップＳ２０で、自分の携帯電話および相手の携帯電話の状態を相互に通知するための準備設定を実行しているため、自分が直接関与していない操作であっても、その操作内容を示す情報が相手の携帯電話から送信される。このため、ステップＳ４４では、送信された情報に基づいて、相手が相手の携帯電話の表示画面を変更するための操作を実行したか否かをチェックすることができる。
【０１００】
ステップＳ４４において、相手が相手の携帯電話の表示画面を変更するための操作を実行した場合には、ステップＳ４５に進み、操作を実行していない場合には、ステップＳ４７に進む。
【０１０１】
ステップＳ４７においては、自分が、自分の携帯電話の外側カメラ１０または内側カメラ７を操作したか否かをチェックする。例えば、外側カメラ１０または内側カメラ７のレリーズ操作やズーム操作を実行すると、自分の携帯電話の外側カメラ１０または内側カメラ７を操作した場合に該当し、ステップＳ５０に進む。
【０１０２】
ステップＳ５０においては、操作内容に従って、自分の携帯電話の外側カメラ１０または内側カメラ７を動作させるためのカメラ操作処理を実行し、ステップＳ４６に進む。ステップＳ５０については、後述の図１１で詳述する。
【０１０３】
一方、自分が、自分の携帯電話の外側カメラ１０または内側カメラ７を操作していなければ、ステップＳ４８に進み、相手が、自分の携帯電話の外側カメラ１０または内側カメラ７を操作したか否かをチェックする。操作を実行した場合には、ステップＳ５０に進み、操作を実行していない場合には、ステップＳ４９に進む。
【０１０４】
ステップＳ４９においては、自分が、相手の携帯電話のカメラを操作したか否かをチェックし、操作を実行した場合には、ステップＳ５０に進み、操作を実行していない場合には、ステップＳ４６に進む。
【０１０５】
図１０は、図９に示されるステップＳ４５の画面処理の内容を示すフローチャートである。
【０１０６】
画面処理を実行するにあたっては、まず、ステップＳ６１において、表示画面を変更するための操作を自分が実行したのか、それとも相手が実行したのかをチェックする。自分が操作した場合には、ステップＳ６２に進み、相手が操作した場合には、ステップＳ６３に進む。
【０１０７】
ステップＳ６２においては、操作の対象が、自分の携帯電話の表示部５または覗き込み型表示部１１に表示されている画像か、相手の携帯電話の表示部に表示されている画像かをチェックする。操作の対象が、自分の携帯電話の表示部５または覗き込み型表示部１１に表示されている画像である場合には、ステップＳ６３に進む。
【０１０８】
ステップＳ６３においては、自分の携帯電話の表示部５または覗き込み型表示部１１に、自分の携帯電話の外側カメラ１０または内側カメラ７で撮影した画像（以下、「自分の携帯電話の外側カメラ１０または内側カメラ７で撮影した画像」を「自分の携帯電話の撮影画像」ということがある。）を表示するための操作を実行したか否かをチェックする。自分の携帯電話の撮影画像を表示するための操作を実行している場合には、ステップＳ６４に進む。
【０１０９】
ステップＳ６４においては、自分の携帯電話の表示部５または覗き込み型表示部１１に、自分の携帯電話の撮影画像が表示されていなければ、その画像を表示する。これに対し、ステップＳ６４に至った時点で、自分の携帯電話の表示部５または覗き込み型表示部１１に、自分の携帯電話の撮影画像と相手からの送信画像との双方が表示されている場合には、その状態を維持する。なお、相手からの送信画像がメイン表示領域に表示され、自分の携帯電話の撮影画像がサブ表示領域に表示されている場合には、これらの表示を逆に切り換える。
【０１１０】
一方、ステップＳ６３において、相手の携帯電話からの送信画像を表示するための操作を実行している場合には、ステップＳ６５に進み、相手からの送信画像を自分の携帯電話の表示部５または覗き込み型表示部１１に表示し、相手の携帯電話から方位情報が送信されていれば、その方位情報も併せて表示する。なお、このステップＳ６５においても、自分の携帯電話の撮影画像と相手からの送信画像との双方が表示されている場合には、その状態が維持され、メイン表示領域に自分の携帯電話の撮影画像が表示されている場合には、相手からの送信画像を表示するように表示態様が切り換えられる。
【０１１１】
次いで、ステップＳ６６において、操作内容に従って表示画面の変更処理を実行する。変更処理が終了すると、ステップＳ６７に進んで、自分の携帯電話の外側カメラ１０または内側カメラ７が向いている方位を示す方位情報を取得できているか否かをチェックする。
【０１１２】
方位情報を取得できていれば、ステップＳ６８に進み、自分の携帯電話の表示部５または覗き込み型表示部１１に、自分の携帯電話の外側カメラ１０または内側カメラ７の方位情報を表示する。一方、地磁気などの影響で方位情報を取得できていない場合には、方位情報の表示処理は実行せず、ステップＳ６９に進む。  ステップＳ６９においては、相手の携帯電話が自分の携帯電話から送信する情報を活用できるか否かをチェックする。ここに、「相手の携帯電話が自分の携帯電話から送信する情報を活用できる」とは、例えば、「スクロールした」という情報を自分の携帯電話から相手の携帯電話に送信したときに、相手の携帯電話が、送信された情報を「スクロールした」ことを示す情報として正しく認識できることを意味する。通常、携帯電話には、個々を識別するための識別情報が付与されているため、ステップＳ６９においては、相手の携帯電話から送信されてくる識別情報が、自分の携帯電話から送信する情報を活用できる機種のものであるかを判定することによって、チェック処理を行う。
【０１１３】
相手の携帯電話が、自分の携帯電話から送信する情報を活用できない場合には、自分の携帯電話の表示画面の変更内容を示す情報を送信しても、これを正しく認識することができないため、画面処理を終了する。
【０１１４】
これに対して、相手の携帯電話が、自分の携帯電話から送信する情報を活用できる場合には、ステップＳ７０に進んで、自分の携帯電話の表示部５または覗き込み型表示部１１の表示状況を送信した後に、ステップＳ７１において、どのように表示画面をスクロールしたかや、どのようにカーソルを移動させたか、あるいは、表示画面を拡大、縮小したかなどを示す画面操作情報を送信し、最後に、ステップＳ７２において、自分の携帯電話の方位情報を送信する。なお、ステップＳ７２の方位情報については、先のステップＳ６７で、方位情報を取得できている場合にのみ、送信処理が実行される。
【０１１５】
相手の携帯電話に対して、表示状況、画面操作内容および方位情報が送信されると、相手の携帯電話側で、送信された表示状況、画面操作内容および方位情報に基づいて、相手の携帯電話の表示部の表示態様が変更される。こうして、相手の携帯電話の表示部に、自分の携帯電話の表示部５または覗き込み型表示部１１と同一の表示内容が表示されると、画面処理が終了する。
【０１１６】
これらに対して、ステップＳ６２において、操作の対象が、相手の携帯電話の表示部に表示されている画像である場合には、ステップＳ７３に進み、相手の携帯電話が自分の携帯電話に対応し、操作互換性を有しているか否かをチェックする。ここに、「相手の携帯電話が自分の携帯電話に対応する」とは、相手の携帯電話が自分の携帯電話から送信する情報を活用できることを含む他、自分の携帯電話を操作することによって、相手の携帯電話を操作できることを意味する。例えば、「スクロールせよ」という情報を自分の携帯電話から相手の携帯電話に送信したときに、それに応答して、相手の携帯電話が相手の携帯電話の表示画面をスクロールできる場合が、これに該当する。ステップＳ７３においては、相手の携帯電話から送信されてくる識別情報が、自分の携帯電話と対応する機種のものであるかを判定することによって、対応するものであるかのチェック処理を行う。
【０１１７】
ステップＳ７３において、相手の携帯電話が自分の携帯電話と対応する場合には、ステップＳ７４に進み、操作内容に従う指示信号を相手の携帯電話に送信する。こうして、相手の携帯電話の表示画面が自分の携帯電話の操作内容に従って変更される。次いで、ステップＳ７５において、相手の携帯電話から自分の携帯電話に対して、相手の携帯電話の表示画面の変更状況を示す情報が送信され、これを受信して、相手の携帯電話の表示画面の変更内容を確認する。
【０１１８】
一方、ステップＳ７３において、相手の携帯電話が自分の携帯電話と対応していない場合には、自分の携帯電話の表示部５または覗き込み型表示部１１に、相手の携帯電話を操作できない旨の警告メッセージを表示し、画面処理を終了する。
【０１１９】
図１１は、図９に示されるステップＳ５０のカメラ操作処理の内容を示すフローチャートである。
【０１２０】
カメラの操作処理を実行するにあたっては、まず、ステップＳ８１において、カメラ操作を自分が実行したのか、それとも相手が実行したのかをチェックする。自分が操作した場合には、ステップＳ８２に進み、相手が操作した場合には、ステップＳ８３に進む。
【０１２１】
ステップＳ８２においては、操作の対象が、自分の携帯電話の外側カメラ１０または内側カメラ７であるか、それとも、相手の携帯電話のカメラであるかをチェックする。操作の対象が、自分の携帯電話の外側カメラ１０または内側カメラ７である場合には、ステップＳ８３に進む。
【０１２２】
ステップＳ８３においては、自分の携帯電話の外側カメラ１０または内側カメラ７のレリーズ処理を実行するための操作が行われているか否かをチェックする。レリーズ処理を実行するための操作が行われていれば、ステップＳ８４に進んでレリーズ処理を実行し、レリーズ処理を実行するための操作が行われていなければ、レリーズ処理は実行せず、ステップＳ８５に進む。
【０１２３】
ステップＳ８５においては、自分の携帯電話の外側カメラ１０または内側カメラ７のズーム処理を実行するための操作が行われているか否かをチェックする。ズーム処理を実行するための操作が行われていれば、ステップＳ８６に進んでズーム処理を実行し、ズーム処理を実行するための操作が行われていなければ、ズーム処理は実行せず、ステップＳ８７に進む。
【０１２４】
ステップＳ８７においては、相手の携帯電話が自分の携帯電話から送信する情報を活用できるか否かをチェックする。このステップＳ８７は、先の図１０のステップＳ６９と同様の処理を実行する。
【０１２５】
ステップＳ８７において、相手の携帯電話が自分の携帯電話から送信する情報を活用できる場合には、ステップＳ８８およびＳ８９に進んで、レリーズ情報の送信処理およびズーム情報の送信処理を順次実行する。ステップＳ８８では、レリーズ処理によって撮影した画像の画像情報を、ステップＳ８９では、ズーム処理後の焦点距離の情報を、それぞれ、自分の携帯電話から相手の携帯電話に送信する。
【０１２６】
一方、ステップＳ８７において、相手の携帯電話が自分の携帯電話から送信する情報を活用できない場合には、ステップＳ８８およびＳ８９の処理は実行せず、カメラ操作処理を終了する。
【０１２７】
これらに対し、ステップＳ８２において、操作の対象が相手の携帯電話のカメラである場合には、ステップＳ９０に進み、相手の携帯電話が自分の携帯電話に対応し、操作互換性を有しているか否かをチェックする。このステップＳ９０は、先の図１０のステップＳ７３と同様の処理を実行する。
【０１２８】
ステップＳ９０において、相手の携帯電話が自分の携帯電話と対応する場合には、ステップＳ９１に進み、操作内容に従う指示信号を相手の携帯電話に送信する。こうして、自分の携帯電話の操作内容に従って、相手の携帯電話のカメラが操作され、例えば、レリーズ処理のための操作を実行していれば、相手の携帯電話でカメラのレリーズ処理が実行され、ズーム処理のための操作を実行していれば、相手の携帯電話でカメラのズーム処理が実行される。
【０１２９】
次いで、ステップＳ９２において、相手の携帯電話から自分の携帯電話に対して、レリーズ処理によって撮影された画像の画像情報や、ズーム処理後の焦点情報などが送信され、これを受信して、相手の携帯電話のカメラの操作状況を確認する。
【０１３０】
一方、ステップＳ９０において、相手の携帯電話が自分の携帯電話と対応していない場合には、自分の携帯電話の表示部５または覗き込み型表示部１１に、相手の携帯電話のカメラを操作できない旨の警告メッセージを表示し、カメラ操作処理を終了する。
【０１３１】
図１２は、本発明における携帯電話の第二実施例の外観図である。図１２（ａ）は、操作者が第一のテレビ電話モードで携帯電話を操作している状態の側面図、図１２（ｂ）は、不使用時において携帯電話を折りたたんだ状態の側面図であり、各図において、図１ないし図１１に示された第一実施例と同一部分には、同一符号を付す。
【０１３２】
図１２に示されるように、第二実施例にかかる携帯電話は、電話本体２に、携帯電話操作部６および音声出力部９が設けられ、フリップ３に、表示部５、内側カメラ７、音声入力部８、外側カメラ１０および覗き込み型表示部１１が設けられている。
【０１３３】
本実施例にかかる携帯電話は、音声出力部９が電話本体２側に設けられるとともに、音声入力部８、外側カメラ１０および覗き込み型表示部１１がフリップ３側に設けられている点を除き、第一実施例にかかる携帯電話と同様の構成を有している。また、その機能ブロックや各部の機能および処理も、図６ないし図１１に示された第一実施例にかかる携帯電話と同様である。
【０１３４】
第一のテレビ電話モードで通信する場合には、操作者４は、携帯電話の開き角度を最大角度に設定するとともに、矢印で示すように、電話本体２を片手で保持し、携帯電話を操作者の目から離した状態で、フリップ３に設けられた表示部５に表示される画像を見ながら相手と通話する。このとき、音声入力部８の入力状態は、高感度入力に設定され、音声出力部９の出力状態は、大音量出力に設定される。また、表示部５が動作状態とされるとともに、覗き込み型表示部１１が非動作状態とされ、外側カメラ１０は、図１（ａ）に示される場合と同様に、その光軸１０ａが水平となるように、角度が制御される。
【０１３５】
図１３は、通常電話モードにおける第二実施例の携帯電話を操作者とともに示したものであり、図１３（ａ）はその正面図、図１３（ｂ）はその上面図である。各図において、図１ないし図１１に示された第一実施例と同一部分には、同一符号を付す。
【０１３６】
通常電話モードで通信する場合には、携帯電話の開き角度を最大角度に設定するとともに、操作者４は、矢印で示すように、フリップ３を片手で保持し、電話本体２に設けられた音声出力部９を耳の近傍に、フリップ３に設けられた音声入力部８を口の近傍に、それぞれ位置させた状態で相手と通話する。このとき、音声入力部８の入力状態は、低感度入力に設定され、音声出力部９の出力状態は、小音量出力に設定される。また、第一のテレビ電話モードで通話する場合と同様に、表示部５が動作状態とされるとともに、覗き込み型表示部１１が非動作状態とされる。
【０１３７】
図１４は、第二のテレビ電話モード位置において使用されている第二実施例の携帯電話を操作者とともに示したものであり、図１４（ａ）は、その正面図、図１４（ｂ）はその上面図である。各図において、図１ないし図１１に示された第一実施例と同一部分には、同一符号を付す。
【０１３８】
第二のテレビ電話モードで通信する場合には、操作者４は、携帯電話の開き角度を中開き角度に設定するとともに、矢印で示すように、電話本体２を片手で保持し、電話本体２に設けられた音声出力部９を耳の近傍に、フリップ３に設けられた覗き込み型表示部１１を目の近傍に、それぞれ位置させた状態で相手と通話する。このとき、音声入力部８の入力状態および音声出力部９の出力状態は、通常電話モードで通話する場合と同様に、それぞれ、低感度入力、小音量出力に設定される。また、表示部５および覗き込み型表示部１１の動作状態は、第一のテレビ電話モードや通常電話モードで通信する場合とは異なり、表示部５が非動作状態とされるとともに、覗き込み型表示部１１が動作状態とされる。さらに、外側カメラ１０は、図３（ｂ）に示される場合と同様に、その光軸１０ａが覗き込み型表示部１１の光軸１１ａとほぼ平行になる角度に設定され、外側カメラ１０が撮影する画面の方向と、操作者４の目が見る方向と、覗き込み型表示部１１の覗き込み方向とが全て、ほぼ一致するような状態に設定される。
【０１３９】
以上のような構成を有する第二実施例にかかる携帯電話においても、図１ないし図１１に示された第一実施例にかかる携帯電話と同様の効果を得ることが可能である。
【０１４０】
本発明は、以上の実施例に限定されることなく、特許請求の範囲に記載された発明の範囲内で種々の変更が可能であり、それらも本発明の範囲内に包含されるものであることはいうまでもない。
【図面の簡単な説明】
【０１４１】
【図１】本発明における携帯電話の第一実施例の外観図である。
【図２】通常電話モードにおける第一実施例の携帯電話を操作者とともに示したものである。
【図３】第二のテレビ電話モード位置において使用されている第一実施例の携帯電話を操作者とともに示したものである。
【図４】第二のテレビ電話モード位置における第一実施例の携帯電話の正面図である。
【図５】第一実施例における電話本体の側断面図である。
【図６】本発明における携帯電話の第一実施例の機能ブロック図である。
【図７】図６の制御部の機能を示すフローチャートである。
【図８】テレビ電話モードまたは通常電話モードでの通信処理を示すフローチャートである。
【図９】図８に示されるステップＳ２５の第二のテレビ電話モード通信処理、および、ステップＳ３４の第一のテレビ電話モード通信処理の内容を示すフローチャートである。
【図１０】図９に示されるステップＳ４５の画面処理の内容を示すフローチャートである。
【図１１】図９に示されるステップＳ５０のカメラ操作処理の内容を示すフローチャートである。
【図１２】本発明における携帯電話の第二実施例の外観図である。
【図１３】通常電話モードにおける第二実施例の携帯電話を操作者とともに示したものである。
【図１４】第二のテレビ電話モード位置において使用されている第二実施例の携帯電話を操作者とともに示したものである。
【符号の説明】
【０１４２】
１  接続部
２  電話本体
３  フリップ
４  操作者
５  表示部
６  携帯電話操作部
７  内側カメラ
８  音声入力部
９  音声出力部
１０  外側カメラ
１１  覗き込み型表示部
１３  右手用画像切換ボタン
１４  右手用レリーズボタン
１５  右手用指示先切換ボタン
１６  左手用画像切換ボタン
１７  左手用レリーズボタン
１８  左手用指示先切換ボタン
１９  ズーム操作ダイアル
１９Ｒ  右手用機能ボタン
１９Ｌ  左手用機能ボタン
２０  制御部
２１  折曲角度検知部
２２  入出力切換部
２３  入出力部
２４  通信部
２５  カメラ切換部
２６  カメラ部
２７  記録部
２８  右手用／左手用操作部
２９  重力検知部
３０  左右切換部
３１  警告部
３２  方位検知部
１１１  表示素子
１１２  接眼光学系
１１３  視度調節機構
１１４  反射光学系
１１５  照明部
【図１】
2007201824.tif 000003
【図２】
2007201824.tif 000004
【図３】
2007201824.tif 000005
【図４】
2007201824.tif 000006
【図５】
2007201824.tif 000007
【図６】
2007201824.tif 000008
【図７】
2007201824.tif 000009
【図８】
2007201824.tif 000010
【図９】
2007201824.tif 000011
【図１０】
2007201824.tif 000012
【図１１】
2007201824.tif 000013
【図１２】
2007201824.tif 000014
【図１３】
2007201824.tif 000015
【図１４】
2007201824.tif 000016